(57)【要約】【課題】、マスク本体及び耳掛け部が同色に着色されており、かつ、マスク本体において色ムラがなく、全体として意匠的に統一感のある使い捨てマスクの提供。【解決手段】  マスク１０のマスク本体２０は、基材シート２１から形成されており、基材シート２１を折り重ねて形成されて上下方向Ｙへ並ぶ複数の襞部２８を有する。基材シート２１は、内面側に位置する内層シート２５と、外面側に位置する外層シート２６と、内外層シート２５，２６間に介在された中間シート２７とを有し、内外層シート２５，２６は、中間シート２７よりも全光線透過率が高く、基材シート２１のうちの中間シート２７のみ着色されており、耳掛け部３０は、細紐状であって、中間シート２７と同色系に着色されている。【選択図】図２
2018204169.tif 000002
【特許請求の範囲】
【請求項１】
上下方向及び幅方向を有し、内面及び外面を有するマスク本体と、マスク本体の両側縁から延びる一対の耳掛け部とを含む使い捨てマスクにおいて、
前記マスク本体は、基材シートから形成されており、前記基材シートを折り重ねて形成されて前記上下方向へ並ぶ複数の襞部を有し、
前記基材シートは、前記内面側に位置する内層シートと、前記外面側に位置する外層シートと、前記内外層シート間に介在された中間シートとを有し、
前記内外層シートは、前記中間シートよりも全光線透過率が高く、
前記基材シートのうちの前記中間シートのみ着色されており、
前記耳掛け部は、細紐状であって、前記中間シートと同色系に着色されていることを特徴とするマスク。
【請求項２】
前記基材シートは、繊維不織布から形成されており、前記中間シートは、前記内外層シートの繊維不織布の繊維よりも繊度が小さい極細繊維によって構成された繊維不織布から形成されている請求項１に記載のマスク。
【請求項３】
前記マスク本体は、前記外面側に折曲された前記内層シートと前記中間シートとから構成される折曲部分と前記外層シートとの間に介在して位置し、前記幅方向へ延びるプラスチック製の帯状部材をさらに有し、前記帯状部材は白色である請求項１又は２に記載のマスク。
【請求項４】
前記内外層シートは、スパンボンド繊維不織布から形成されており、前記中間シートは、前記極細繊維を使用したメルトブローン繊維不織布から形成されており、平面視において、単位面積当たりにおける前記中間シートの繊維間隙の総面積が、単位面積当たりにおける前記内外層シートの繊維間隙の総面積よりも小さい請求項１〜３のいずれかに記載のマスク。
【請求項５】
前記内外層シートを形成する繊維不織布の全光線透過率は７０〜８５％であって、前記中間シートを形成する繊維不織布の全光線透過率は４０〜６０％である請求項１〜４のいずれかに記載のマスク。
【請求項６】
前記マスク本体は、下端縁が下方へ凸曲した形状を有し、上下端縁と前記両側縁とが交差する隅部が曲状である請求項１〜５のいずれかに記載のマスク。
【請求項７】
前記内外層シート及び前記中間シートは、前記マスク本体の外形縁に沿う外周シール域を介して互いに接合されており、前記外周シール域は前記マスク本体の外形ラインに沿うラウンド形状を有する請求項１〜６のいずれかに記載のマスク。
【請求項８】
前記外周シール域は、円形または楕円形の複数のシール部から形成されている請求項７に記載のマスク。
【請求項９】
前記外周シール域は、前記マスク本体の前記両側縁に沿って前記上下方向へ延びるサイドシール域と、前記上下端縁に沿って前記幅方向へ延びる上下方シール域とを有し、前記サイドシール域を形成する前記シール部は円形であって、前記上下側シール域を形成する前記シール部は楕円形である請求項７又は８に記載のマスク。
【請求項１０】
前記耳掛け部は、前記マスク本体の上端部と下端部とに位置し、上下固定域を介して固定された両端部を有し、前記上下固定域は、円形または楕円形の複数の接合部から形成される請求項１〜９のいずれかに記載のマスク。
【発明の詳細な説明】
【技術分野】
【０００１】
本発明は、使い捨てマスクに関する。
【背景技術】
【０００２】
従来、マスク本体と、マスク本体の両側縁から延びる一対の耳掛け部とを備える使い捨てマスクは、公知である。例えば、特許文献１には、マスク本体と、マスク本体の両側縁から延びる一対の耳掛け部を備え、マスク本体を形成する複数の繊維不織布のいずれかの不織布（着色不織布）がピンク色等の白色以外の色に着色されている。
【先行技術文献】
【特許文献】
【０００３】
【特許文献１】特開２０１５−２２３３０２号公報
【発明の概要】
【発明が解決しようとする課題】
【０００４】
特許文献１に開示された使い捨てマスクにおいては、マスク本体は、幅方向へ延びる複数の襞部を有し、不織布が折り重なる重畳部分と、不織布が折り重なっていない非重畳部分とにおいて、着色不織布以外の不織布の色（白色）による濃淡差が生じている。また、マスク本体の上端部に位置する帯状部材（ノーズフィット）は白色であるから、比較的に全光線透過率の高い、肌当接面側に位置する内層シート及び／又は非肌当接面側に位置する外層シートを着色しても、外面視において、ノーズフィットが透けて白色が目立ってしまうことがある。また、耳掛け部は、着色されていない不織布から形成されていることから、マスク本体における色の濃淡差、ノーズフィットが透視されることによる色の違い、および耳掛け部がマスク本体と異なる色を有することから、マスク全体の外観視において、色の統一感がなく、意匠性が低下していた。
【０００５】
本発明は、従来の使い捨てマスクの改良であって、マスク本体及び耳掛け部が同色に着色されており、かつ、マスク本体において色ムラがなく、全体として意匠的に統一感のある使い捨てマスクの提供を課題にしている。
【課題を解決するための手段】
【０００６】
前記課題を解決するために、本発明は、上下方向及び幅方向を有し、内面及び外面を有するマスク本体と、マスク本体の両側縁から延びる一対の耳掛け部とを含む使い捨てマスクに関する。
【０００７】
本発明に係る使い捨てマスクは、前記マスク本体は、基材シートから形成されており、前記基材シートを折り重ねて形成されて前記上下方向へ並ぶ複数の襞部を有し、前記基材シートは、前記内面側に位置する内層シートと、前記外面側に位置する外層シートと、前記内外層シート間に介在された中間シートとを有し、前記内外層シートは、前記中間シートよりも全光線透過率の高く、前記基材シートのうちの前記中間シートのみ着色されており、前記耳掛け部は、細紐状であって、前記中間シートと同色系に着色されていることを特徴とする。
【０００８】
前記基材シートは、繊維不織布から形成されており、中間シートは、前記内外層シートの繊維不織布の繊維よりも繊度が小さい極細繊維によって構成された繊維不織布から形成されていることから、中間シートを形成する着色不織布の繊維密度が比較的に高くなり、色ムラが少なくなって、全体として均一的な色合いを有する。
【０００９】
前記マスク本体は、前記外面側に折曲された前記内層シートと前記中間シートとから構成される折曲部分と前記外層シートとの間に介在して位置し、前記幅方向へ延びるプラスチック製の帯状部材をさらに有し、前記帯状部材は白色であるから、帯状部材がその内外面側に位置する着色不織布からなる中間シートに介在された状態となるので、内外面側から白色の帯状部材が目立つことはない。
【００１０】
前記内外層シートは、スパンボンド繊維不織布から形成されており、前記中間シートは、前記極細繊維を使用したメルトブローン繊維不織布から形成されており、平面視において、単位面積当たりにおける前記中間シートの繊維間隙の総面積が、単位面積当たりにおける前記内外層シートの繊維間隙の総面積よりも小さいから、中間シートを形成する着色不織布の色ムラが少なく、マスク本体は、外観視において均一的な色合いを有する。
【００１１】
前記内外層シートを形成する繊維不織布の全光線透過率は７０〜８５％であって、前記中間シートを形成する繊維不織布の全光線透過率は４０〜６０％であるから、内外層シートが中間シートを形成する着色不織布を透過して外部から着色された色が確実に視認される。
【００１２】
前記マスク本体は、下端縁が下方へ凸曲した形状を有し、上下端縁と両側縁とが交差する隅部が曲状であるから、マスク本体が全体的に丸みのある外観を有し、全体的に矩形である場合に比して、柔らかな印象を与えることができる。
【００１３】
前記内外層シート及び前記中間シートは、前記マスク本体の外形縁に沿う外周シール域を介して互いに接合されており、前記外周シール域は前記マスク本体の外形ラインに沿うラウンド形状を有するから、着用するときに、マスク本体がカップ状を呈しやすく、隅部をその外形に沿って顔面にフィットさせることができる。
【００１４】
前記外周シール域は、円形または楕円形の複数のシール部から形成されているから、全体的に丸みのあるマスク本体の外観をと相まって、丸みのある柔らかな印象を与えることができる。
【００１５】
前記外周シール域は、前記マスク本体の前記両側縁に沿って前記上下方向へ延びるサイドシール域と、前記上下端縁に沿って前記幅方向へ延びる上下側シール域とを有し、前記サイドシール域を形成する前記シール部は円形であって、前記上下側シール域を形成する前記シール部は楕円形であるから、外周シール域全体において統一感があり、また、接合部が矩形である場合に比べて、シール面積を減少させることができる。
【００１６】
前記耳掛け部は、前記マスク本体の上端部と下端部とに位置し、上下固定域を介して固定された両端部を有し、前記上下固定域は、円形または楕円形の複数の接合部から形成されるから、外周シール域と上下固定域とに配置された接合部の形状が同一又は類似する丸みのある形状を有し、意匠的な統一感が向上するとともに、柔らかなイメージを与えることができる。
【発明の効果】
【００１７】
本発明に係る使い捨てマスクによれば、マスク本体を構成する基材シートのうちの中間シートのみが着色され、かつ、耳掛部が中間シートと同色に着色されていることから、マスク本体は、ムラの少ない均一的な淡い色合いを有し、マスク全体として意匠性に優れた、統一感のある外観を有する。
【図面の簡単な説明】
【００１８】
図面は、本発明の特定の実施の形態を示し、発明の不可欠な構成ばかりでなく、選択的及び好ましい実施の形態を含む。
【図１】本発明に係る使い捨てマスクの正面図。
【図２】図１のＩＩ−ＩＩ線に沿う斜視断面図。
【図３】マスク本体の平面図。
【図４】着用状態におけるマスクの側面図。
【図５】（ａ）図２のＶ（ａ）線で囲んだ領域の一部拡大図。（ｂ）図２のＶ（ｂ）線で囲んだ領域の一部拡大図。
【図６】（ａ）着色不織布と非着色不織布とからなる積層シートの色評価結果を示すＬａｂ値の表。（ｂ）図６（ａ）の表の平均値に基づくグラフ。
【図７】着用状態におけるマスクの正面図。
【図８】（ａ）従来のマスクのマスク本体の下端部近傍における一部拡大図、（ｂ）図２のＶＩＩＩ（ｂ）線で囲んだ領域の一部拡大図。
【発明を実施するための形態】
【００１９】
下記の実施の形態は、図１〜図８に示す使い捨てマスクに関し、発明の不可欠な構成ばかりではなく、選択的及び好ましい構成を含む。
【００２０】
図１〜図３を参照すると、本発明の使い捨てマスクの一例として示す、マスク１０は、上下方向Ｙ及び幅方向Ｘを有し、肌対向面及びそれに対向する非肌対向面と、上下方向Ｙの寸法を２等分する横断中心線Ｑと、マスク本体２０と、マスク本体２０の両側縁２０ｃ，２０ｄから延びる一対の環状の耳掛け部３０とを含む。
【００２１】
マスク本体２０は、基材シート２１から形成されており、幅方向Ｘへ直状に延びる上端縁２０ａと、下方へ僅かに凸曲して幅方向Ｘへ延びる下端縁２０ｂと、上下端縁２０ａ，２０ｂ間において上下方向Ｙへ延びる両側縁２０ｃ，２０ｄとを有する。マスク本体２０の下端縁２０ｂは、幅方向Ｘへ直状に延びる中央部位１９ａと、中央部位１９ａの幅方向Ｘの両側に位置に位置して両側縁２０ｃ，２０ｄから中央部位１９ａまで曲状に延びる一対のサイド曲状部位（両側部位）１９ｂ，１９ｃとを有する。また、マスク本体２０は、耳掛け部３０の上下固定域３４Ａ，３４Ｂの内側縁から幅方向Ｘの外側に位置する両側部１８を有する。
【００２２】
マスク本体２０は、さらに、上下端縁２０ａ，２０ｂと両側縁２０ｃ，２０ｄとが交差する曲状の隅部１７を有する。隅部１７が、先鋭状ではなく曲状を有することによって、着用者の顔面が隅部１７に触れても刺激を与えることはない。
【００２３】
マスク本体２０（マスク１０）の上下方向Ｙの寸法（両側縁２０ｃ，２０ｄの長さ寸法）Ｌ１は、６０〜１００ｍｍ、幅方向Ｘの寸法（上下端縁２０ａ，２０ｂの長さ寸法）Ｗ１は、１４０〜１８０ｍｍである。マスク本体２０の上下方向Ｙの寸法Ｌ１が、６０ｍｍ以下の場合には、大人の着用者の標準的な大きさの顎部を十分に被覆することができず、一方、寸法Ｌ１が１００ｍｍよりも大きい場合には、マスク本体２０の下端が顎から下方へ離間して、正面視において、実際よりも面長な印象を与えてしまうおそれがある。
【００２４】
マスク本体２０を形成する基材シート２１は、肌対向面側に位置する内層シート２５と、非肌対向面側に位置する外層シート２６と、それらの間に介在された中間シート２７とから構成されている。内外層シート２５，２６及び中間シート２７は、マスク本体２０の外周縁に沿って断続的に延びる外周シール域（外周高剛性域）４０によって互いに接合されている。外周シール域４０は、その延在方向へ所定寸法離間して配置された複数の接合部４１Ａ，４１Ｂから形成される。外周シール域４０は、マスク本体２０の上端縁２０ａに沿って幅方向Ｘへ断続的に延びる２条のラインからなる上側シール域４２と、下端縁２０ｂに沿って幅方向Ｘへ断続的に延びる下側シール域４３と、両側縁２０ｃ，２０ｄに沿って上下方向Ｙへ断続的に延びるサイドシール域４４とを有する。
【００２５】
内層シート２５と外層シート２６とは、例えば、熱融着性繊維を含む質量１０〜４０ｇ／ｍ２の通気性を有する、着色されていない繊維不織布（非着色不織布）であって、比較的に全光線透過率の高いシート材料、例えば、スパンボンド繊維不織布、ＳＭＳ繊維不織布及びエアスルー繊維不織布等の各種公知の繊維不織布やプラスチックフィルムから形成することができる。本実施形態においては、内外層シート２５，２６として、着色されていない白色のスパンボンド繊維不織布が使用されている。中間シート２７は、内外層シート２５，２６間に位置して微粒子のフィルター機能を有するものであって、中間シート２７は、マスク１０の用途に応じて、適宜、抗菌剤、芳香剤等を含浸させていてもよい。
【００２６】
中間シート２７は、白色以外の色、本実施形態においてはピンク色、に着色された不織布（着色不織布）であって、メルトブローン繊維不織布から形成されている。メルトブローン繊維不織布は、製造工程において、ノズルから熱風を吹き付けながら押し出した比較的に繊度の小さな極細繊維（微細繊維）をネット上に集積してウエブ状に形成したものであって、繊維密度が高く、平面視における繊維間隙が比較的に小さくなっている。中間シート２７の着色不織布に使用する着色顔料は、この種の分野において通常される有機系または無機系のものであって、着色顔料の代わりに染料を使用することもできる。
【００２７】
外周シール域４０は、断続的に配置された複数の接合部４１Ａ，４１Ｂにおいて内外層シート２５，２６と中間シート２７とを互いに溶着する溶着シールラインであって、互いに重なり合うこれらのシート２５−２７は外周シール域４０においてのみ接合され、他の部分において互いに接合されていない。したがって、これらのシート２５−２７の対向面全体が互いに接合されている場合に比して、マスク１０全体は柔軟性及び通気性に優れる。上側シール域４２のシールライン間の上下方向Ｙの離間寸法は、下側シール域４３のシールライン間の上下方向Ｙの離間寸法よりも大きくなっている。
【００２８】
図２を参照すると、外周シール域４０の接合部４１Ａ，４１Ｂは、曲状であって、サイドシール域４４を形成する接合部４１Ａは円形、上下側シール域４２，４３を形成する接合部４１Ｂは、上下側シール域４２，４３の延在する幅方向Ｘへ長い楕円形状を有する。
【００２９】
耳掛け部３０は、好ましくは弾性的に伸縮可能なものであって、断面円形の丸ゴムや断面矩形の平ゴムから形成されている。耳掛け部３０は、全体的に中間シート２７を形成する着色不織布と同系色に着色されている。ここで、同系色とは、同一の色を含む同系統の色であって、色相が同じまたは近似する色（色相環で、隣り合う色や近くに位置する色）を意味し、例えば、中間シート２７が緑色であって耳掛け部３０が黄緑色、中間シート２７が赤色であって耳掛け部３０がピンク色の場合等を含むものである。本実施形態においては、中間シート２７と耳掛け部３０とが、ともに、ピンク色に着色されている。
【００３０】
耳掛け部３０は、マスク本体２０の上端部と下端部に位置する一対の上下端（固定両端部）３１Ａ，３１Ｂと、上下端３１Ａ，３１Ｂ間において環状に延びる自由部３２とを有する。上端３１Ａは、マスク本体２０の上端縁２０ａ側において上固定域３４Ａを介して固定され、下端３１Ｂは、下端縁２０ｂ側において下固定域３４Ｂによって固定されている。上下固定域３４Ａ，３４Ｂは、複数の接合部４１Ｃを配置して形成された縦長楕円状又は角丸矩形状であって、上下端３１Ａ，３１Ｂよりも一回り大きな外形を有し、上下端３１Ａ，３１Ｂをマスク本体２０に溶着又は接着している。
【００３１】
上下固定域３４Ａ，３４Ｂが、上下端３１Ａ，３１Ｂの外形よりも大きいことによって、上下端３１Ａ，３１Ｂは、マスク本体２０に対して所要の剥離強度を有し、着用中に上下端３１Ａ，３１Ｂにそれを剥離しようとする力が作用しても、容易に剥離することはない。また、上下固定域３４Ａ，３４Ｂを構成する接合部４１Ｃの一部は、上下側シール域４２，４３を形成する接合部４１Ｂと重なっており、かかる互いに重なり合う部分においてより接合強度が高くなっている。耳掛け部３０の上下端３１Ａ，３１Ｂは、上下固定域３４Ａ，３４Ｂによってマスク本体２０の非肌対向面に固定されている。自由部３２の両端が、マスク本体２０の非肌対向面に固定されていることによって、着用状態において、自由部３２の両端がマスク本体２０を顔面に押し当てるように作用し、マスク本体２０の密着性を向上させることができる。
【００３２】
図２，３及び図５（ａ）を参照すると、内層シート２５と中間シート２７との上下端縁部は、外層シート２６の上下端縁部よりも上下方向Ｙの外側へ延出している。かかる上下延出部が上下方向Ｙの内側へ曲状に折り曲げられて、上側シール域４２と下側シール域４３を介して外層シート２６の非肌対向面側に固定されることによって、上下折曲部分３５，３６が形成されている。上折曲部分３５は下折曲部分３６よりも上下方向Ｙの寸法が大きく、上固定域３４Ａは上折曲部分３５に位置している。一方、下折曲部分３６は下固定域３４Ｂの下方に位置している。
【００３３】
上側シール域４２のシールライン間には、幅方向Ｘへ延びる帯状部材（ノーズフィット）６０が配置されている。帯状部材６０は、上折曲部分３５と外層シート２６との間に介在されており、具体的には、上側シール域４２を形成する２つのシールライン間に形成された筒状の空間内に挟持固定されている。帯状部材６０の両端の幅方向の外側には、帯状部材６０の幅方向Ｘへの移動を規制するための接合部４１Ｄが配置されている。帯状部材６０は、白色であって、それが外層シート２６のみから被覆されている場合には、白色が透過して淡いピンク色を有するマスク本体において目立つので、色の統一感が損なわれるおそれがある。また、例えば、帯状部材がマスク本体の外面に貼付されているのみの場合や１枚の外面シートのみで被覆されている等の場合には、着用状態において帯状部材が湾曲したときに、マスク本体から外に飛び出すように外れ出てしまうおそれがある。一方、非着色の中間シートと内面シートとからなる折曲部分で被覆した場合には、帯状部材の飛び出しは防止することができるが、帯状部材の白色と相俟って被覆部分の大部分が濃い白色となって、マスク全体の統一感が損なわれるおそれがある。したがって、本実施形態のように、着色された中間シート２７を含む上折曲部分３５によって被覆されることによって、マスク本体のピンク色と同色系の薄いピンク色となるので、マスク全体の色の統一感と帯状部材６０の飛び出し防止とを両立することができる。
【００３４】
マスク本体２０は、上端縁２０ａから上固定域３４Ａまで延びる上端部２２と、下端縁２０ｂから下固定域３４Ｂまで延びる下端部２３と、上下端部２２，２３間に位置する中間部２４とをさらに有する。中間部２４は、基材シート２１をプリーツ状に折り曲げて形成された幅方向Ｘへ延びる複数の襞部２８を有する。襞部２８は、上側から順に、マスク本体２０の非肌対向面側において上向きに凸となる第１〜第３襞部２８Ａ〜２８Ｃと、第３襞部２８Ｃの下方において下向きに凸となる第４襞部２８Ｄとを有する。基材シート２１は、第３襞部２８Ｃと第４襞部２８Ｄとにおいて、断面Ω状に折り曲げられている。したがって、横断中心線Ｑの下方において、基材シート２１が折り重ねられてそれが複数に積層された重畳部分２９Ａと、第３襞部２８Ｃと第４襞部２８Ｄとの間に位置する、基材シート２１が折り重ねられていない、単層構造を有する非重畳部分２９Ｂとが位置する。
【００３５】
図４を参照すると、本実施形態に係る使い捨てマスク１０においては、上端部２２において中央側から両側部１８へ向かう力Ｆ３と、耳掛け部３０の自由部３２を後方へ引っ張る力Ｆ５が生じることによって、上固定域３４Ａには、下方へ向かう力Ｆ１が作用する。一方、下端部２３において着用者の顎が当接された中央部から両側部へ向かう力Ｆ４、耳掛け部３０の自由部３２においてそれを斜め上方へ引っ張る力Ｆ６が作用することによって、下固定域３４Ｂには、上方へ向かう力Ｆ２が作用する。
【００３６】
マスク１０では、中間部２４において、基材シート２１を折り重ねて形成された重畳部分（高剛性域）２９Ａからなる第３襞部２８Ｃと第４襞部２８Ｄとの間に位置する単層構造を有する非重畳部分（低剛性域）２９Ｂが、横断中心線Ｑよりも下方に配置されていることによって、下固定域３４Ｂに作用する上方へ向かう力Ｆ２を非重畳部分２９Ｂにおいて吸収、分散することができる。非重畳部分２９Ｂにおいてかかる力Ｆ２を吸収、分散することによって、マスク本体２０の両側部１８における変形を抑制することができる。
【００３７】
近年、花粉やウイルスの感染を防止するために使い捨てマスクを着用することに加えて、若い女性を中心としてファッションの一部として使い捨てマスクを着用する傾向がある。そのために、意匠性の高いマスクの需要が求められており、マスク本体及び／又は耳掛け部が赤色や青色等に着色されたマスクが製造、販売されている。しかし、マスク本体を形成する基材シート全体を着色した場合には、肌対向面側に位置する内層シートも着色加工が施されることになるので、繊維不織布本体の柔軟性や風合いが損なわれて、着用者に対して、ごわごわとした触感を与えるおそれがある。特に、そのような意匠性の高いマスクを好む女性や子供は、顔の肌が比較的に刺激に弱く、マスクの内面が柔軟性の低いシート材料から形成されている場合には、違和感を与えたり、肌に刺激を与えるおそれがある。
【００３８】
また、非肌対向面側に位置する外層シートに着色加工を施す場合には、着色された繊維不織布が外部に露出された状態となるので、繊維に混合される着色顔料の色合いや量を調整しても、主として女性の着用者が好むような淡い色合いを付すことは困難である。
【００３９】
本実施形態に係る使い捨てマスクにおいては、マスク本体２０を形成する基材シート２１のうちの中間シート２７のみが着色されており、耳掛け部３０が中間シートと同色系に着色されていることから、マスク全体として同色系にまとめらえて意匠的に統一感のある外観を有するとともに、外部に着色された繊維不織布が露出しないので、マスク本体２０の内外面全体が淡い色合いを有することができる。また、肌対向面側に位置する内層シート２５が着色されていないことによって、繊維不織布本来の柔軟性や風合いが損なわれることはなく、肌をいたずらに刺激することはない。
【００４０】
また、耳掛け部の色がマスク本体と異なる場合には、マスクの外面視において、耳掛け部の上下端部のみが異なる色となって目立ち、意匠的な統一感が損なわれるおそれがある。かかる外観上の問題を避けるために、耳掛け部の上下端部をマスク本体の肌対向面側（内面側）に固定することも考えられるが、その場合には、着用したときに上下端部がマスク本体を顔面に密着させるように作用することができない。本実施形態においては、耳掛け部３０の上下端３１Ａ，３１Ｂがマスク本体２０の外面に固定されていることから着用したときに耳掛け部３０の引張力によってマスク本体２０を顔面に押し当てるように作用し、かつ、マスク本体２０と同色系の色を有していることから、上下端３１Ａ，３１Ｂがマスク本体２０の外面に位置していても、それが異なる色を有して意匠的な統一感を低減させることない。
【００４１】
また、マスク本体２０を着用者の鼻梁部にフィットさせるための白色の帯状部材６０は、肌対向面側及び非肌対向面側の両側において、着色された中間シート２７によって被覆されていることから、その外形が目立たず、マスクをファッションの一部として捉える若い女性であっても、抵抗感なく着用することができる。本実施形態においては、マスク本体２０及び耳掛け部３０の色としてピンク色を採用することによって、白色や青色、黄色等の他の色よりも顔面の肌の色に近くなり、より抵抗感なく着用することができ、化粧をした女性の肌色のファンデーションやピンク色や紅色等の暖色系の口紅がマスク１０の内面に付着しても、マスクの内面が白色の場合に比べて、目立つことはない。
【００４２】
マスク１０の製造上及びコスト上の利点についていえば、マスク１０を高速生産するときに、マスク本体２０の幅方向Ｘを機械方向ＭＤとして資材を連続的に搬送して各工程を通過することになるが、例えば、中間シート２７を形成する着色不織布が機械方向と交差する方向ＣＤへ位置ブレしても、上下折曲部分３５，３６で折り返して調整されるので、マスク本体２０の主体部分（上下折曲部分３５，３６以外の部分）の着色領域にバラつきが生じることはない。また、提供する資材のうちの耳掛け部３０の材料となる連続弾性材料と中間シート２７の資材となる連続繊維ウエブとにのみ着色加工を施せばよいので、マスク１０を構成する資材すべてを着色する場合に比べて、製造コストを抑えることができる。
【００４３】
中間シート２７は、内外層シート２５，２６の繊維不織布の繊維よりも繊度が小さい極細繊維によって構成された繊維不織布から形成されている。具体的には、中間シート２７は、製造工程においてノズルから熱風を吹き付けながら押し出された極細繊維をネット上に集積して形成された繊維ウエブからなるメルトブローン繊維不織布であって、内外層シート２５、２６は、製造工程においてノズルから押し出して延伸してネット上で積層して形成された繊維ウエブからなるスパンボンド繊維不織布であるから、中間シート２７の繊維密度は、内外層シート２５，２６の繊維密度よりも高くなっている。
【００４４】
通常、繊維不織布は、プラスチックフィルムに比べて着色加工したときに色ムラが発生しやすいが、中間シート２７は、内外層シート２５，２６に比べて、繊維密度が高く、平面視において、単位面積当たりの繊維間隙の総面積が小さくなっていることから、それを着色したときに、色ムラが比較的に少なくなるといえる。したがって、内外層シート２５，２６を形成するスパンボンド繊維不織布に比べて、中間シート２７を形成するメルトブローン繊維不織布は、色ムラが少なく全体としてほぼ均一に発色されることから、着色による意匠的な統一感が損なわれることはない。
【００４５】
内外層シート２５，２６の全光線透過率は７０〜８５％であって、中間シート２７の全光線透過率は４０〜６０％である。このように、内外層シート２５，２６の全光線透過率が比較的に高いことから、着色された中間シート２７が透過されて外部から視認されるといえる。また、内外層シート２５，２６の肌触りを向上させるために、熱処理等の表面平滑加工を施す場合において、シートが着色顔料を含有するときには表面処理が阻害されるおそれがあるが、中間シート２７のみが着色顔料を含有して内外層シート２５,２６は着色顔料を含有していないで、スムーズに表面処理を施すことができる。
【００４６】
このように、内外層シート２５，２６は、平面視における繊維間隙の総面積が大きく、全光線透過率が比較的に高いことから、中間シート２７の色を透過しやすいといえるが、その繊維密度が低すぎる場合には、中間シート２７の色が濃く視認されて、マスク本体２０を想定した色合いとすることができない。一方、中間シート２７は、平面視において繊維間隙の総面積が小さく、全光線透過率が比較的に低いことから色ムラが少なくて均一的かつ鮮明な色を有することができるが、その繊維密度が高すぎると、マスク本体２０の通気性が阻害されるおそれがある。したがって、内外層シートは、所要の全光線透過率を実現し、かつ、中間シート２７の色が濃く視認されないようにするために、その繊維密度は、４．０〜１２．０ｇ／ｃｍ３であり、好ましくは、７．０〜１０．０ｇ／ｃｍ３であることが好ましい。また、中間シート２７は、色ムラを抑えて鮮明な色を有し、かつ、マスク本体２０の通気性と捕集性の観点から、平均繊維径が２．０〜８．０μｍであることが好ましい。
【００４７】
再び、図２，図５（ａ），（ｂ）を参照すると、マスク本体２０の上下端部２２，２３に位置する上下折曲部分３５，３６の配置領域では、外面側から順に、内層シート２５（白色）、中間シート２７（ピンク色）、外層シート２６（白色）、中間シート２７（ピンク色）、内層シート２５（白色）の順に積層されている。このように、上下折曲部分３５，３６の配置領域では、着色された中間シート２７の積層枚数が２枚であるから、マスク本体２０の他の領域に比べて色が濃くなるといえる。しかしながら、中間シート２７が外部に露出されておらず、かつ、着色された中間シート２７が着色されていない内外層シート２５，２６間に前後方向Ｚにおいて交互に積層されてそれらの間に介在された状態となっていることから、太陽光や蛍光灯等の光源下において、白色の内外層シート２５，２６が光を反射して着色された中間シート２７の色合いがぼやけて視認される。それによって、マスク本体２０は、中間シート２７本来の色合いよりも淡い色合いを有するので、上下折曲部分３５，３６とその他の部分とにおいて色合いに大きな差異はなく、外部において目立つようなグラデーションが形成されず、全体的に均一な色合いを有することができる。
【００４８】
着色された耳掛け部３０の上下端３１Ａ，３１Ｂは、上下固定域３４Ａ，３４Ｂによってマスク本体２０の外面において溶着されてフィルム化していることから、マスク本体２０の他の部分に比して色が濃くなっている。特に、耳掛け部３０の上端３１Ａは、２枚の着色された中間シート２７が積層された上折曲部分３５に固定されていることから、下端３１Ｂに比べて色が濃くなっている。したがって、マスク１０全体において、耳掛け部３０の上端３１Ａの位置する領域が最も濃い色を有る部分（最濃色部分）であって、ほぼ均一の色合いを有するマスク１０の外観視において、アクセントを加えている。
【００４９】
また、上下折曲部分３５，３６において、内層シート２５の上下端縁部（上下フラップ部分）２５ａ，２５ｂは、中間シート２７の上下端縁部２７ａ，２７ｂよりも上下方向Ｙへ延在している。そのために、内層シート２５の上下端縁部２５ａ，２５ｂの位置する部分では、１枚の着色された中間シート２７に対して３枚の着色されてない内外層シート２５，２６が積層されていることから、マスク本体２０のうちで最も色が薄い部分（最薄色部分）５０Ａ，５０Ｂとなっている。このように、上下端部２２，２３において最薄色部分５０Ａ，５０Ｂが幅方向Ｘへライン状に延びていることによって、ほぼ均一の色合いを有するマスク１０の外観視において、デザイン的なアクセントを与えている。
【００５０】
＜シートの色評価＞
図６（ａ）は、ピンク色に着色されたメルトブローン繊維不織布（着色不織布）と、着色されていない、質量約２０ｇ／ｍ２のスパンボンド繊維不織布（非着色不織布）とを使用した、シートの色評価の結果を示した表、図６（ｂ）は、図６（ａ）の測定結果を示す表に基づくグラフである。なお、測定に使用した着色不織布の着色顔料の含有率は１．０〜１０．０％である。着色顔料の含有率が１０．０％を超える場合には、ごわついて繊維不織布としての風合いが損なわれるので、マスク本体の基材シートの構成シートとして不適当であり、また、含有率が１．０％未満の場合には、それが外部に露出した場合であっても、太陽光下において、着色された色を明瞭に視認することができないおそれがある。
【００５１】
＜測定方法＞
光源（ＬＥＤライト等）の光をテーブル上に配置された測定対象のシートに対して連続的に照射する。測定には、公知の色彩式差計を使用し、測定対象のシートからの透過光を測定して、測定した光の三刺激値ＸＹＺから透過光（Ｌａｂ）を算出する。測定は、テーブル上に黒色の文鎮を配置し、かつ、文鎮の色（黒）が透けて色差に影響を与えないようにするために、測定する着色繊維不織布と同一の繊維不織布（メルトブローン繊維不織布）を１０枚積層してなる積層体を文鎮の上に配置し、該積層体の上に測定対象のシートを配置して行った。また、測定は、対象シートごとに１０回（Ｎ＝１０）行い、平均値及び標準偏差（Δ値）を求めた。なお、色という人間の感覚量を数値化したものがＬａｂ値であって、一般的に用いられる色の「明度」はＬの関数、彩度と色相は、それぞれ、ａとｂの関数（いわゆる、「色合い」）である。
【００５２】
実施例１の測定は、光源側から順に、１枚の非着色不織布と１枚の着色不織布とを重ねた２枚の積層シート、実施例２は、光源側から順に、２枚の非着色不織布と１枚の着色不織布とを重ね合わせた３枚の積層シート、比較例１は、１枚の着色不織布からなる単層シート、比較例２は、３枚の非着色不織布と１枚の着色不織布からなる４枚の積層シートをそれぞれ対象シートとして測定した。
【００５３】
図６（ａ），（ｂ）を参照すると、光源側の枚数が増えるほどにＬ値が高く、ａ値は下がっていた。着色不織布をマスク１０の基材シート２１を構成する中間シート２７として使用した場合において、マスク１０の外面から着色された色（ピンク色）の視認される色合い（濃淡）は、主にａ値の大きさに依るものであって、それらの値が大きいほどに、着色された色が濃くなり、それらの値が小さいほどに、着色された色が薄く、淡い色となる。
【００５４】
光源側に位置する非着色不織布が配置されていない場合（比較例１）には、ａ値が１３．０以上となり、比較的に濃いピンク色がマスク１０の外面に現れて、繊維不織布としての柔軟な外観が損なわれてしまうおそれがある。その光源側に非着色不織布を配置することでa値を任意に下げることができる。非着色不織布によるマスキング効果によるΔａ値は、−０．６〜−１．０／１枚である。実施例１及び実施例２においては、光源側に非着色不織布が１枚又は２枚配置されており、Δａ値は、−０.７〜−１．８であって減少させている。このように、外部から視認したときに、マスク本体２０は、光源側に着色不織布を配置するよりも淡いピンク色を有し、繊維不織布としての柔軟な外観を損なうことはなく、かつ、光量が比較的に小さい場合であっても、着色された色を視認することができるといえる。
【００５５】
図７は、着用状態におけるマスク１０の正面図である。マスク本体２０の下端部２３は、着用者の顎部に沿う下方へ凸曲した形状を有することから、顔面にフィットして、空気中の花粉や粉塵等が入り込むような隙間が発生し難くなっている。また、マスク本体の四隅が先鋭状の場合には、肌が触れたときに刺激を与えるとともに、着用したときに丸みのある顔面形状に沿わないことから、顔面が大きく見えるような印象を与えるおそれがある。本実施形態に係るマスク１０においては、上端縁２０ａと、マスク本体２０の下方へ凸曲した形状を有する下端縁２０ｂと、両側縁２０ｃ，２０ｄとが互いに交差する隅部１７が曲状であることから、マスク本体２０が顔面形状に沿う丸みのある柔軟な印象を与えることができる。
【００５６】
また、外周シール域４０のうちの隅部１７に位置する角部が、隅部１７の形状に沿う曲状であって、外周シール域４０全体がマスク本体２０の外形ラインに沿うラウンド形状を有することから、マスク本体の形状を相俟って、着用者に対してさらに丸みのある柔軟な印象を与えることができる。さらに、外周シール域４０を形成する接合部４１Ａ，４１Ｂ、すなわち、サイドシール域４４を形成する接合部４１Ａが円形であって、上下側シール域４２，４３を形成する接合部４１Ｂが横長の楕円形状であることから、マスク本体２０、外周シール域４０の形状と併せて、より丸みのある柔軟な印象を与えることができる。
【００５７】
さらにまた、耳掛け部３０の上下端３１Ａ，３１Ｂを固定するための上下固定域３４Ａ，３４Ｂは縦長楕円状又は角丸矩形状であって、それを形成する接合部４１Ｃは、接合部４１Ｂとほぼ同形同大の楕円状である。このように、マスク本体２０、外周シール域４０の外形ライン、上下固定域３４Ａ，３４Ｂ、並びに、各接合部４１Ａ，４１Ｂ，４１Ｃがすべて曲状であることから、マスク１０は、外観において、先鋭状部分のない、全体として丸みのある柔らかな印象を与えることができる。
【００５８】
図８（ａ）は、従来のマスク１１０のマスク本体１２０の下端部近傍における一部拡大図、図８（ｂ）は、図２のＶＩＩＩ（ｂ）線で囲んだ領域の一部拡大図である。
従来のマスク１１０と本実施形態のマスク１０とは、外周シール域４０，１４０の各接合部４１Ａ，４１Ｂ，１４１Ａ，１４１Ｂの構成及び従来のマスク１０が着色不織布を有していない点を除き、同一の構成を有する。
【００５９】
従来のマスク１１０においては、外周シール域１４０の接合部１４１Ａ，１４１Ｂの形状が本実施形態のマスクの接合部４１Ａ，４１Ｂと異なり、サイドシール域１４４を形成する接合部１４１Ａが上下方向へ延びる矩形状、下側シール域１４３を形成する接合部１４１Ｂが幅方向Ｘへ延びる矩形状である。図示していないが、従来のマスク１１０の外周シール域１４０は、マスク本体１２０の外形に沿う環状であって、上側シール域も複数の接合部１４１Ｂから形成されている。
【００６０】
従来のマスク１１０において、マスク本体１２０の表面積に対する接合部１４１Ａ，１４１Ｂの総面積率は、２．５〜３．０％である。また、マスク本体１２０の一方の側縁１２０ｄ（他方の側縁も同じ）から幅方向Ｘの内方へ１ｃｍ延びた幅寸法を有する帯状領域の面積に対する該領域内の接合部１４１Ａ，１４１Ｂの総面積率は、５．０〜８．０％である。また、各接合部１４１Ａ，１４１Ｂの面積は、１．２〜１．６ｍｍ２である。
【００６１】
図８（ｂ）を参照すると、本実施形態に係るマスク１０の外周シール域４０を形成する各接合部４１Ａ，４１Ｂは曲状であって、マスク本体２０の表面積に対する接合部４１Ａ，４１Ｂの総面積率は、１．８〜２．２％である。また、マスク本体２０の側縁２０ｄ（側縁２０ｃも同じ）から幅方向Ｘの内方へ１ｃｍ延びた幅寸法を有する帯状領域の面積に対する該領域内の接合部４１Ａ，４１Ｂの総面積率は、２．５〜３．５％である。また、各接合部４１Ａ，４１Ｂの面積は、０．８〜１．２ｍｍ２である。
【００６２】
このように、マスク本体２０の接合部４１Ａ，４１Ｂを矩形状ではなく、円形及び楕円形にすることによって、マスク本体２０の表面積に対するシール領域の面積率を低くすることができ、特に、サイドシール域４４を形成する接合部４１Ａは、それを矩形状にする場合に比べて、１個当たりのシール面積は６０％程度の大きさとなる。それによって、サイドシール域４４のシール強度が抑制されて、着用したときに、より頬に対して柔らかに追従させることができる。
【００６３】
マスク１０を構成する部材には、特に明記されていない限りにおいて、本明細書に記載されている材料のほかに、この種の分野において通常用いられている公知の材料を制限なく用いることができる。また、本明細書において使用されている「第１」及び「第２」等の用語は、同様の要素、位置等を単に区別するために用いてある。
【符号の説明】
【００６４】
１０    使い捨てマスク
１７    隅部
２０    マスク本体
２０ａ    上端縁
２０ｂ    下端縁
２０ｃ    側縁
２０ｄ    側縁
２１    基材シート
２２    上端部
２３    下端部
２５    内層シート
２６    外層シート
２７    中間シート
２８    襞部
３０    耳掛け部
３４Ａ    上固定域
３４Ｂ    下固定域
３５    上折曲部分
３６    下折曲部分
４０    外周シール域
４１Ａ    接合部
４１Ｂ    接合部
４１Ｃ    接合部
４１Ｄ    接合部
４２    上側シール域
４３    下側シール域
４４    サイドシール域
６０    帯状部材
Ｘ    幅方向
Ｙ    上下方向
【図１】
2018204169.tif 000003
【図２】
2018204169.tif 000004
【図３】
2018204169.tif 000005
【図４】
2018204169.tif 000006
【図５】
2018204169.tif 000007
【図６】
2018204169.tif 000008
【図７】
2018204169.tif 000009
【図８】
2018204169.tif 000010
【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
上下方向及び幅方向を有し、内面及び外面を有するマスク本体と、前記マスク本体の両側縁から延びる一対の耳掛け部とを含む使い捨てマスクにおいて、  前記マスク本体は、基材シートから形成されており、前記基材シートを折り重ねて形成されて前記上下方向へ並ぶ複数の襞部を有し、  前記基材シートは、前記内面側に位置する内層シートと、前記外面側に位置する外層シートと、前記内外層シート間に介在された中間シートとを有し、  前記内外層シートは、前記中間シートよりも全光線透過率が高く、  前記基材シートのうちの前記中間シートのみ着色されており、 前記内層シートと前記中間シートとの一部が前記外層シートの外面に固定されることによって上下折曲部分が形成され、 前記上下折曲部分は、前記内層シートのみから形成された部分を有することを特徴とするマスク。
【請求項２】
前記基材シートは、繊維不織布から形成されており、前記中間シートは、前記内外層シートの繊維不織布の繊維よりも繊度が小さい極細繊維によって構成された繊維不織布から形成されている請求項１に記載のマスク。
【請求項３】
前記マスク本体は、前記上折曲部分と前記外層シートとの間に介在して位置し、前記幅方向へ延びるプラスチック製の帯状部材をさらに有し、前記帯状部材は白色である請求項１又は２に記載のマスク。
【請求項４】
前記内外層シートは、スパンボンド繊維不織布から形成されており、前記中間シートは、前記極細繊維を使用したメルトブローン繊維不織布から形成されており、平面視において、単位面積当たりにおける前記中間シートの繊維間隙の総面積が、単位面積当たりにおける前記内外層シートの繊維間隙の総面積よりも小さい請求項２に記載のマスク。
【請求項５】
前記内外層シートを形成する繊維不織布の全光線透過率は７０〜８５％であって、前記中間シートを形成する繊維不織布の全光線透過率は４０〜６０％である請求項１〜４のいずれかに記載のマスク。
【請求項６】
前記マスク本体は、下端縁が下方へ凸曲した形状を有し、上端縁及び前記下端縁と前記両側縁とが交差する隅部が曲状である請求項１〜５のいずれかに記載のマスク。
【請求項７】
前記内外層シート及び前記中間シートは、前記マスク本体の外形縁に沿う外周シール域を介して互いに接合されており、前記外周シール域は前記マスク本体の外形ラインに沿うラウンド形状を有する請求項１〜６のいずれかに記載のマスク。
【請求項８】
前記外周シール域は、円形または楕円形の複数のシール部から形成されている請求項７に記載のマスク。
【請求項９】
前記外周シール域は、前記マスク本体の前記両側縁に沿って前記上下方向へ延びるサイドシール域と、前記上下端縁に沿って前記幅方向へ延びる上下側シール域とを有し、前記サイドシール域を形成するシール部は円形であって、前記上下側シール域を形成するシール部は楕円形である請求項７又は８に記載のマスク。
【請求項１０】
前記耳掛け部は、前記マスク本体の上端部と下端部とに位置し、上下固定域を介して固定された両端部を有し、前記上下固定域は、円形または楕円形の複数の接合部から形成される請求項１〜９のいずれかに記載のマスク。
【手続補正２】
【補正対象書類名】明細書
【補正対象項目名】０００７
【補正方法】変更
【補正の内容】
【０００７】  本発明に係る使い捨てマスクは、前記マスク本体は、基材シートから形成されており、前記基材シートを折り重ねて形成されて前記上下方向へ並ぶ複数の襞部を有し、前記基材シートは、前記内面側に位置する内層シートと、前記外面側に位置する外層シートと、前記内外層シート間に介在された中間シートとを有し、前記内外層シートは、前記中間シートよりも全光線透過率が高く、前記基材シートのうちの前記中間シートのみ着色されており、前記内層シートと前記中間シートとの一部が前記外層シートの外面に固定されることによって上下折曲部分が形成され、前記上下折曲部分は、前記内層シートのみから形成された部分を有することを特徴とする。
【手続補正３】
【補正対象書類名】明細書
【補正対象項目名】０００９
【補正方法】変更
【補正の内容】
【０００９】  前記マスク本体は、前記上折曲部分と前記外層シートとの間に介在して位置し、前記幅方向へ延びるプラスチック製の帯状部材をさらに有し、前記帯状部材は白色であるから、帯状部材がその内外面側に位置する着色不織布からなる中間シートに介在された状態となるので、内外面側から白色の帯状部材が目立つことはない。
【手続補正４】
【補正対象書類名】明細書
【補正対象項目名】００１２
【補正方法】変更
【補正の内容】
【００１２】  前記マスク本体は、下端縁が下方へ凸曲した形状を有し、上端縁及び前記下端縁と前記両側縁とが交差する隅部が曲状であるから、マスク本体が全体的に丸みのある外観を有し、全体的に矩形である場合に比して、柔らかな印象を与えることができる。
【手続補正５】
【補正対象書類名】明細書
【補正対象項目名】００１５
【補正方法】変更
【補正の内容】
【００１５】  前記外周シール域は、前記マスク本体の前記両側縁に沿って前記上下方向へ延びるサイドシール域と、前記上下端縁に沿って前記幅方向へ延びる上下側シール域とを有し、前記サイドシール域を形成するシール部は円形であって、前記上下側シール域を形成するシール部は楕円形であるから、外周シール域全体において統一感があり、また、接合部が矩形である場合に比べて、シール面積を減少させることができる。手続補正６  削除
【手続補正７】
【補正対象書類名】図面
【補正対象項目名】図５
【補正方法】変更
【補正の内容】
【図５】
2018204169.tif 000011